(57)【要約】【課題】同期式リング型ネットワークにおいて、光伝送路が寸断した場合であっても簡単な処理で通信を維持する。【解決手段】車両内の第１Ｊ／Ｂ１１，１２に、各電子機器に対応した第１光電変換部２１〜２３を設け、光伝送路と接続した第４光電変換部２４を設け、第１光電変換部２１〜２４に対応した第１スイッチ回路３１〜３４を設ける。このような第１Ｊ／Ｂ１１，１２では、例えば第１光電変換部２１と電子機器とを接続する光伝送路に寸断が発生した場合、第１スイッチ回路３１を閉状態にして第１光電変換部２１をバイパスして電気信号を中継するシステムに再構成する。【選択図】　　　図２
2004048658.tif 000002
【特許請求の範囲】
【請求項１】
複数の電子機器がリング状に接続され、各電子機器が光伝送路を用いて光信号を中継する光通信システムであって、
上記各電子機器に対応して設けられ、対応した電子機器から入力した光信号を電気信号に変換して他の光−電気変換手段に出力すると共に、他の光−電気変換手段から入力した電気信号を光信号に変換して対応した電子機器に出力する複数の光−電気変換手段と、上記各光−電気変換手段の電気信号入出力端に設けられ、開閉動作をして隣接する光−電気変換手段からの電気信号をバイパスする複数のスイッチ回路とを備えた複数の信号中継装置と、
上記信号中継装置を介して他の電子機器と接続された複数の電子機器とを備え、
各信号中継装置の上記各光−電気変換手段は、光伝送路からの光信号状態に基づいて上記電子機器又は他の信号中継装置との間の光伝送路の寸断を判定して、上記スイッチ回路の開閉制御をし、寸断した光伝送路への光信号出力を停止させること
を特徴とする光通信システム。
【請求項２】
上記各光−電気変換手段の電気信号出力端に設けられ、入力した電気信号を上記光通信システムにて規定された所定のクロック成分に同期させて、他の光−電気変換手段の電気信号入力端に出力する信号同期部を備えたこと
を特徴とする請求項１に記載の光通信システム。
【請求項３】
上記各光−電気変換手段は、
上記各電子機器から入力した光信号レベルに応じた電気信号レベルの電気信号を生成する光−電気変換部と、
上記光−電気変換部にて生成した電気信号の電気信号レベルを監視し、上記各スイッチ回路の開閉動作を制御する信号監視部と、
上記信号監視部での監視結果に基づいて、上記光−電気変換部にて生成した電気信号に増幅処理及び信号整形処理をして他の光−電気変換手段に出力する信号処理部と
を備えることを特徴とする請求項１に記載の光通信システム。
【請求項４】
上記信号監視部は、上記光−電気変換部での電気信号レベルが安定する所定時間の後に、上記各スイッチ回路を開閉動作を制御することを特徴とする請求項３に記載の光通信システム。
【請求項５】
上記信号中継装置は、少なくとも車両前部に設けられた電子機器と光伝送路を介して接続された第１信号中継装置と、少なくとも上記第１信号中継装置及び車両後部に設けられた電子機器と光伝送路を介して接続された第２信号中継装置とからなることを特徴とする請求項１に記載の光通信システム。
【請求項６】
複数の電子機器がリング状に接続され、各電子機器が光伝送路を用いて光信号を中継する光通信システムであって、
上記各電子機器に対応して設けられ、対応した電子機器から入力した光信号を電気信号に変換して他の光−電気変換手段に出力すると共に、他の光−電気変換手段から入力した電気信号を光信号に変換して対応した電子機器に出力する複数の光−電気変換手段と、上記各光−電気変換手段の電気信号入出力端に設けられ、開閉動作をして隣接する光−電気変換手段からの電気信号をバイパスする複数のスイッチ回路と、上記スイッチ回路の開閉動作を制御する信号監視手段とを備えた複数の信号中継装置と、
上記信号中継装置を介して他の電子機器と接続された複数の電子機器とを備え、
上記信号監視手段は、上記光−電気変換手段から上記スイッチ回路に出力される電気信号の変化を検出して、規定時間以上の変化があった場合に上記スイッチ回路を開状態にして、上記光−電気変換手段に対応した電子機器を他の電子機器と通信可能とすることを特徴とする光通信システム。
【請求項７】
上記スイッチ回路は、システムの起動時には上記信号監視手段の制御に従って開状態とされ、その後には、上記各光−電気変換手段により、光伝送路からの光信号状態に基づいて上記電子機器又は他の信号中継装置との間の光伝送路の寸断を判定して、開閉制御されることを特徴とする請求項６に記載の光通信システム。
【請求項８】
複数の電子機器がリング状に接続され、各電子機器が光伝送路を用いて光信号を中継する光通信システムにおける信号中継装置であって、
上記各電子機器に対応して設けられ、対応した電子機器から入力した光信号を電気信号に変換して他の光−電気変換手段に出力すると共に、他の光−電気変換手段から入力した電気信号を光信号に変換して対応した電子機器に出力する複数の光−電気変換手段と、
上記各光−電気変換手段の電気信号入出力端に設けられ、開閉動作をして隣接する光−電気変換手段からの電気信号をバイパスする複数のスイッチ回路とを備え、
上記各光−電気変換手段は、光伝送路からの光信号状態に基づいて上記スイッチ回路の開閉制御をし、対応した電子機器への光信号出力を停止させることを特徴とする信号中継装置。
【請求項９】
上記各光−電気変換手段の電気信号出力端に設けられ、入力した電気信号を上記光通信システムにて規定された所定のクロック成分に同期させて、他の光−電気変換手段の電気信号入力端に出力する信号同期部を備えたことを特徴とする請求項８に記載の信号中継装置。
【請求項１０】
上記各光−電気変換手段は、
上記各電子機器から入力した光信号レベルに応じた電気信号レベルの電気信号を生成する光−電気変換部と、
上記光−電気変換部にて生成した電気信号の電気信号レベルを監視し、上記各スイッチ回路の開閉動作を制御する信号監視部と、
上記信号監視部での監視結果に基づいて、上記光−電気変換部にて生成した電気信号に増幅処理及び信号整形処理をして他の光−電気変換手段に出力する信号処理部と
を備えることを特徴とする請求項８に記載の信号中継装置。
【請求項１１】
上記信号監視部は、上記光−電気変換部での電気信号レベルが安定する所定時間の後に、上記各スイッチ回路を開閉動作を制御することを特徴とする請求項１０に記載の信号中継装置。
【請求項１２】
複数の電子機器がリング状に接続され、各電子機器が光伝送路を用いて光信号を中継する光通信システムにおける信号中継装置であって、
上記各電子機器に対応して設けられ、対応した電子機器から入力した光信号を電気信号に変換して他の光−電気変換手段に出力すると共に、他の光−電気変換手段から入力した電気信号を光信号に変換して対応した電子機器に出力する複数の光−電気変換手段と、
上記各光−電気変換手段の電気信号入出力端に設けられ、開閉動作をして隣接する光−電気変換手段からの電気信号をバイパスする複数のスイッチ回路と、
上記スイッチ回路の開閉動作を制御する信号監視手段とを備え、
上記信号監視手段は、上記光−電気変換手段から上記スイッチ回路に出力される電気信号の変化を検出して、規定時間以上の変化があった場合に上記スイッチ回路を開状態にして、上記光−電気変換手段に対応した電子機器を他の電子機器と通信可能とすることを特徴とする信号中継装置。
【請求項１３】
上記スイッチ回路は、システムの起動時には上記信号監視手段の制御に従って開状態とされ、その後には、上記各光−電気変換手段により、光伝送路からの光信号状態に基づいて上記電子機器又は他の信号中継装置との間の光伝送路の寸断を判定して、開閉制御されることを特徴とする請求項１２に記載の信号中継装置。
【請求項１４】
複数の電子機器がリング状に接続され、各電子機器が光伝送路を用いて光信号を中継する光通信システムにおける光通信用コネクタであって、
光伝送路から入力した光信号を電気信号に変換して出力すると共に、入力した電気信号を光信号に変換して光伝送路に出力する第１光−電気変換手段と、
光伝送路から入力した光信号を電気信号に変換して上記第１光−電気変換手段に出力すると共に、上記第１光電気変換手段から入力した電気信号を光信号に変換して光伝送路に出力する第２光−電気変換手段と、
上記第１光−電気変換手段と上記第２光−電気変換手段との間に設けられ、上記第１光−電気変換手段又は上記第２光−電気変換手段からの電気信号をバイパスするスイッチ回路とを備え、
上記第１光−電気変換手段は、光伝送路からの光信号状態に基づいて上記スイッチ回路の開閉制御をし、出力した電気信号の第２光−電気変換手段への入力を停止すると共に、上記第２光−電気変換手段は、光伝送路からの光信号状態に基づいて上記スイッチ回路の開閉制御をし、出力した電気信号の第１光−電気変換手段への入力を停止することを特徴とする光通信用コネクタ。
【請求項１５】
上記各光−電気変換手段は、
上記各電子機器から入力した光信号レベルに応じた電気信号レベルの電気信号を生成する光−電気変換部と、
上記光−電気変換部にて生成した電気信号の電気信号レベルを監視し、上記各スイッチ回路の開閉動作を制御する信号監視部と、
上記信号監視部での監視結果に基づいて、上記光−電気変換部にて生成した電気信号に増幅処理及び信号整形処理をして他の光−電気変換手段に出力する信号処理部と
を備えることを特徴とする請求項１４に記載の光通信用コネクタ。
【請求項１６】
上記信号監視部は、上記光−電気変換部での電気信号レベルが安定する所定時間の後に、上記各スイッチ回路を開閉動作を制御することを特徴とする請求項１４に記載の光通信用コネクタ。
【請求項１７】
複数の電子機器がリング状に接続され、各電子機器が光伝送路を用いて光信号を中継する光通信システムにおける光通信用コネクタであって、
光伝送路から入力した光信号を電気信号に変換して出力すると共に、入力した電気信号を光信号に変換して光伝送路に出力する第１光−電気変換手段と、
光伝送路から入力した光信号を電気信号に変換して上記第１光−電気変換手段に出力すると共に、上記第１光電気変換手段から入力した電気信号を光信号に変換して光伝送路に出力する第２光−電気変換手段と、
上記第１光−電気変換手段と上記第２光−電気変換手段との間に設けられ、上記第１光−電気変換手段又は上記第２光−電気変換手段からの電気信号をバイパスするスイッチ回路と、
上記スイッチ回路の開閉動作を制御する信号監視手段とを備え、
上記信号監視手段は、上記第１又は第２光−電気変換手段から上記スイッチ回路に出力される電気信号の変化を検出して、規定時間以上の変化があった場合に上記スイッチ回路を開状態にすることを特徴とする光通信用コネクタ。
【請求項１８】
上記スイッチ回路は、システムの起動時には上記信号監視手段の制御に従って開状態とされ、その後には、上記各光−電気変換手段により、光伝送路からの光信号状態に基づいて光伝送路の寸断を判定して、開閉制御されることを特徴とする請求項１７に記載の光通信用コネクタ。
【発明の詳細な説明】
【０００１】
【発明の属する技術分野】
本発明は、複数の電子機器が車両内に設置され、各電子機器を光伝送路を介して接続する光通信システム、この光通信システムにおける信号中継装置、光通信用コネクタに関する。
【０００２】
【従来の技術】
従来より、車両内でデータを伝送するデータ伝送システムとしては、光ファイバケーブルを車両内に施設し、光ファイバケーブルを用いてコマンド等の非時系列データや、ビデオデータ等の時系列データを伝送するものが知られている。
【０００３】
このデータ伝送システムにおいて、時系列のオーディオデータやビデオデータ等を伝送することを目的とした同期式リング型ネットワークがある。この同期式リング型ネットワークでは、リング状に各通信機器を接続し、データ伝送タイミングを各通信機器間にて同期させてデータ伝送を行う。
【０００４】
このような同期式リング型ネットワークは、図１３に示すように、車両前部であって前部座席付近に電子機器Ａ、Ｂ、Ｃを配設し、後部座席付近に電子機器Ｄを配設し、更に、車両後部のトランクルーム内に電子機器Ｅ、Ｆを配設した構成となっている。そして、各電子機器は、光伝送路１０１及び光コネクタ１０２によりリング状に接続され、所定方向に光信号を各電子機器にて中継しながら、データ伝送をする。
【０００５】
【発明が解決しようとする課題】
しかしながら、従来の同期式リング型ネットワークでは、リング状に接続した光伝送路１０１の一部が寸断すると、その寸断部分における光信号の伝送が不能となり、一部に使用可能な光伝送路及び電子機器が存在する場合であっても、システム全体の通信維持が不能となってしまうという問題点があった。
【０００６】
そこで、本発明は、上述した実情に鑑みて提案されたものであり、光伝送路が寸断した場合であっても簡単な処理で通信を維持することができる光通信システム、信号中継装置、光通信用コネクタを提供することを目的とする。
【０００７】
【課題を解決するための手段】
上述の課題を解決するために、本発明に係る光通信システムでは、複数の信号中継装置に、上記各電子機器に対応して設けられ、対応した電子機器から入力した光信号を電気信号に変換して他の光−電気変換手段に出力すると共に、他の光−電気変換手段から入力した電気信号を光信号に変換して対応した電子機器に出力する複数の光−電気変換手段と、上記各光−電気変換手段の電気信号入出力端に設けられ、開閉動作をして隣接する光−電気変換手段からの電気信号をバイパスする複数のスイッチ回路とを備えたものとする。
【０００８】
このような光通信システムでは、上記各光−電気変換手段により、光伝送路からの光信号状態に基づいて電子機器又は他の信号中継装置との間の光伝送路の寸断を判定して、スイッチ回路の開閉制御をし、寸断した光伝送路への光信号出力を停止させる。これにより、この光通信システムでは、寸断した光伝送路に接続された電子機器には光信号を送出しないようにして、他の電子機器にてリング状のシステムを再構成する。
【０００９】
また、本発明に係る他の光通信システムでは、信号中継装置に信号監視手段を備え、当該信号監視手段により、光−電気変換手段からスイッチ回路に出力される電気信号の変化を検出して、規定時間以上の変化があった場合にスイッチ回路を開状態にして、光−電気変換手段に対応した電子機器を他の電子機器と通信可能とする。
【００１０】
また、本発明に係る信号中継装置では、各電子機器に対応して設けられ、対応した電子機器から入力した光信号を電気信号に変換して他の光−電気変換手段に出力すると共に、他の光−電気変換手段から入力した電気信号を光信号に変換して対応した電子機器に出力する複数の光−電気変換手段と、上記各光−電気変換手段の電気信号入出力端に設けられ、開閉動作をして隣接する光−電気変換手段からの電気信号をバイパスする複数のスイッチ回路とを備えた構成にすることで、上述の課題を解決する。
【００１１】
この信号中継装置では、各光−電気変換手段により、光伝送路からの光信号状態に基づいてスイッチ回路の開閉制御をし、対応した電子機器への光信号出力を停止させる。これにより、この信号中継装置では、寸断した光伝送路に接続された電子機器には光信号を送出しないようにして、他の電子機器にてリング状のシステムを再構成させる。
【００１２】
また、本発明に係る他の信号中継装置では、スイッチ回路の開閉動作を制御する信号監視手段を備え、当該信号監視手段により、光−電気変換手段からスイッチ回路に出力される電気信号の変化を検出して、規定時間以上の変化があった場合にスイッチ回路を開状態にして、光−電気変換手段に対応した電子機器を他の電子機器と通信可能とする。
【００１３】
更に、本発明に係る光通信用コネクタでは、光伝送路から入力した光信号を電気信号に変換して出力すると共に、入力した電気信号を光信号に変換して光伝送路に出力する第１光−電気変換手段と、光伝送路から入力した光信号を電気信号に変換して上記第１光−電気変換手段に出力すると共に、上記第１光電気変換手段から入力した電気信号を光信号に変換して光伝送路に出力する第２光−電気変換手段と、上記第１光−電気変換手段と上記第２光−電気変換手段との間に設けられ、上記第１光−電気変換手段又は上記第２光−電気変換手段からの電気信号をバイパスするスイッチ回路とを備えた構成にすることにより、上述の課題を解決する。
【００１４】
この光通信用コネクタでは、第１光−電気変換手段により光伝送路からの光信号状態に基づいてスイッチ回路の開閉制御をし、出力した電気信号の第２光−電気変換手段への入力を停止すると共に、第２光−電気変換手段により光伝送路からの光信号状態に基づいてスイッチ回路の開閉制御をし、出力した電気信号の第１光−電気変換手段への入力を停止する。これにより、この光通信用コネクタでは、寸断した光伝送路に接続された電子機器には光信号を送出しないようにして、他の電子機器にてリング状のシステムを再構成する。
【００１５】
また、本発明に係る他の光通信用コネクタでは、スイッチ回路の開閉動作を制御する信号監視手段を備え、当該信号監視手段により、第１又は第２光−電気変換手段からスイッチ回路に出力される電気信号の変化を検出して、規定時間以上の変化があった場合にスイッチ回路を開状態にする。
【００１６】
【発明の実施の形態】
以下、本発明の第１実施形態及び第２実施形態について図面を参照して説明する。
【００１７】
［第１実施形態］
［第１実施形態に係る光通信システムの構成］
本発明は、例えば図１に示すように構成された第１実施形態に係る光通信システムに適用される。この光通信システムは、車両前部であって前部座席付近に電子機器Ａ、Ｂ、Ｃを配設し、後部座席付近に電子機器Ｄを配設し、更に、車両後部のトランクルーム内に電子機器Ｅ、Ｆを配設した構成となっている。また、光通信システムが搭載された車両１は、その構造上の理由や電気配線上の理由により、前部座席と後部座席との間付近に制限されて第１Ｊ／Ｂ（ｊｕｎｃｔｉｏｎ　Ｂｌｏｃｋ、電気接続箱）１１が設けられ、後部座席とトランクルームとの間付近に制限されて第２Ｊ／Ｂ１２が設けられている。
【００１８】
これらの第１Ｊ／Ｂ１１及び第２Ｊ／Ｂ１２は、例えば光通信システムを構成しない他の電子機器に電源供給をするための電力線や、他の電子機器の状態を検出したり制御するための制御線、インラインコネクタ等を集積したハーネスが接続され、バッテリからの電力を変換して供給したり、制御信号を規定された電子機器に供給したりする。
【００１９】
また、第１Ｊ／Ｂ１１及び第２Ｊ／Ｂ１２に接続されたハーネスには、光通信システムを構成する光伝送路１３である光ファイバケーブルが含まれている。この光ファイバケーブルは、第１Ｊ／Ｂ１１と第２Ｊ／Ｂ１２とを接続するように配設され、第１Ｊ／Ｂ１１と第２Ｊ／Ｂ１２とを接続する光伝送路には、インラインコネクタ１４が設けられている。また、第１Ｊ／Ｂ１１及び第２Ｊ／Ｂ１２と電子機器Ａ〜Ｆとは、光伝送路１５により接続されている。
【００２０】
このような光通信システムでは、各電子機器をリング状に接続し、各電子機器が同期して隣接する電子機器間で光信号を中継することで、例えば電子機器Ａ、電子機器Ｄ、電子機器Ｅ、電子機器Ｆ、電子機器Ｃ、電子機器Ｂ、電子機器Ａの順で光信号を中継する。このとき、各電子機器では、予め光通信システムにて規定された通信プロトコルに従った信号同期処理などを行う。そして、各電子機器は、送信先の電子機器のアドレスを付加して光信号を送信し、隣接する電子機器からの光信号を受信すると、自己が送信先となっている場合にはそのまま受信し、送信先が自己となっていない場合には隣接した電子機器に中継する。
【００２１】
［第１Ｊ／Ｂ１１及び第２Ｊ／Ｂ１２の第１構成例］
つぎに、第１Ｊ／Ｂ１１及び第２Ｊ／Ｂ１２の第１構成例について説明する。なお、以下の説明では、第１Ｊ／Ｂ１１及び第２Ｊ／Ｂ１２とが同様の構成となっているので、第１Ｊ／Ｂ１１及び第２Ｊ／Ｂ１２を総称して単に「Ｊ／Ｂ」と呼ぶ。
【００２２】
このＪ／Ｂは、図２に示すように、電子機器Ａと光伝送路１５を介して接続された第１光電変換部２１、電子機器Ｂと光伝送路１５を介して接続された第２光電変換部２２、電子機器Ｃと光伝送路１５を介して接続された第３光電変換部２３、他のＪ／Ｂと光伝送路１３を介して接続された第４光電変換部２４を備える。このＪ／Ｂは、第４光電変換部２４と第３光電変換部２３、第３光電変換部２３と第２光電変換部２２、第２光電変換部２２と第１光電変換部２１、第１光電変換部２１と第４光電変換部２４、が電気接続されている。
【００２３】
このようなＪ／Ｂでは、第４光電変換部２４、第３光電変換部２３、電子機器Ｃ、第２光電変換部２２、電子機器Ｂ、第１光電変換部２１がリング状に接続されている。このＪ／Ｂでは、第４光電変換部２４に光信号が入力されると、第３光電変換部２３、電子機器Ｃ、第３光電変換部２３、第２光電変換部２２、電子機器Ｂ、第２光電変換部２２、第１光電変換部２１、電子機器Ａ、第１光電変換部２１、第４光電変換部２４の順に信号を中継するように構成されている。
【００２４】
また、このＪ／Ｂでは、各光電変換部２１〜２４の信号入出力側に設けられた第１スイッチ回路３１、第２スイッチ回路３２、第３スイッチ回路３３、第４スイッチ回路３４を備える。これらのスイッチ回路３１〜３４は、隣接する光電変換部からの電気信号をバイパスして中継する機能を有している。第１スイッチ回路３１〜第４スイッチ回路３４の開閉動作は、それぞれ対応する第１光電変換部２１〜第４光電変換部２４からの状態判定信号（ｓｔａｔｕｓ）により制御される。
【００２５】
「光電変換部の構成」
第１光電変換部２１〜第４光電変換部２４は、図３に示すように構成されている。なお、以下の第１光電変換部２１〜第４光電変換部２４の説明では、これらを総称して単に「光電変換部」と呼び、第１光電変換部２１〜第４光電変換部２４に接続された第１スイッチ回路３１〜第４スイッチ回路３４を総称して単に「スイッチ回路」と呼ぶ。
【００２６】
光電変換部は、光伝送路１３又は光伝送路１５からの光信号を受信する受光部４１、信号検出部４２、波形増幅／整形部４３を備える。また、光電変換部は、図示しないバッテリと電源供給線を介して電源Ｖｃｃが供給されて駆動する電源供給端子、ＧＮＤ端子を備える。
【００２７】
この光電変換部は、受光部４１に光信号が入力されると、光信号レベルの変化に応じてレベル変化をする電気信号を生成して波形増幅／整形部４３に送る。このとき、信号検出部４２では、受光部４１にて受光した光信号レベルを監視し、安定した一定レベル以上の光信号が入力されていると判定した場合には、正常な光信号が入力されていると判定してＬ（Ｌｏｗ）レベルの状態判定信号を生成する。一方、信号検出部４２では、受光部４１に安定した一定レベル以上の光信号が入力されていないと判定した場合には、正常な光信号が入力されていないと判定してＨ（Ｈｉ）レベルの状態判定信号を生成する。この状態判定信号は、波形増幅／整形部４３及びスイッチ回路３１〜３４に送られる。
【００２８】
波形増幅／整形部４３では、Ｌレベルの状態判定信号が入力されると、受光部４１にて生成した電気信号を、例えば予め設定された電気信号レベルに電気信号を増幅すると共に整形して、隣接する光電変換部に出力する。一方、波形増幅／整形部４３では、Ｈレベルの状態判定信号が入力されている場合には、受光部４１からの電気信号を出力しない。
【００２９】
すなわち、この光電変換部は、図４に示すように、光伝送路１５からの光信号レベルが時刻ｔ１にて所定値以上となると（図４（ａ））、状態判定信号がＨレベルからＬレベルになって（図４（ｃ））、受光部４１にて生成した電気信号（ＤＡＴＡ）を波形増幅／整形部４３から出力開始する（図４（ｂ））。このとき、スイッチ回路では、閉状態から開状態になり、隣接する光電変換部からの電気信号を電子機器に出力し、電子機器からの光信号を変換して他の光電変換部に出力する。
【００３０】
そして、例えば光伝送路の寸断などが発生して、受光部４１に所定値以上の光信号が入力されなくなることを時刻ｔ２にて信号検出部４２により検出すると（図４（ａ））、状態判定信号がＬレベルからＨレベルとなる（図４（ｃ））。これに応じ、スイッチ回路では、開状態から閉状態になり、入力した電気信号をバイパスする。
【００３１】
すなわち、例えば第１光電変換部２１と電子機器Ａとを接続する光伝送路１５に寸断が発生して、第１光電変換部２１に入力される光信号が所定値まで達しなくなると、Ｈレベルの状態判定信号を第１スイッチ回路３１に供給して第１スイッチ回路３１を閉状態にする。これにより、第２光電変換部２２からの電気信号を第１光電変換部２１及び電子機器Ａに供給せずにバイパスして第４光電変換部２４に供給する。また、例えば第２Ｊ／Ｂ１２と第１Ｊ／Ｂ１１とを接続する光伝送路１３に寸断が発生して第４光電変換部２４に入力される光信号が所定値まで達しなくなると、Ｈレベルの状態判定信号を第４スイッチ回路３４に供給して第４スイッチ回路３４を閉状態にする。これにより、第１光電変換部２１からの電気信号を第４光電変換部２４に供給せずにバイパスして第３光電変換部２３に供給する。
【００３２】
このような第１Ｊ／Ｂ１１及び第２Ｊ／Ｂ１２を備えた光通信システムによれば、第１Ｊ／Ｂ１１と電子機器を接続する光伝送路１５や、第１Ｊ／Ｂ１１と第２Ｊ／Ｂ１２とを接続する光伝送路１３の寸断や、一部の電子機器の故障、インラインコネクタ１４の半嵌合などが発生した場合であっても、スイッチ回路の開閉動作を制御するという簡単な処理で通信を維持することができ、一部の光伝送路の寸断が発生した場合であっても全体の通信を不能とすることがない。
【００３３】
また、このようにスイッチ回路の開閉動作を制御するに際して、信号検出部４２は、図５に示すように、状態判定信号がＨレベルからＬレベルとなって閉状態から開状態に切り換えるときや、状態判定信号がＬレベルからＨレベルとなって開状態から閉状態に切り換えるときに、状態判定が安定する所定時間経過後とするように状態判定信号のスイッチ回路への出力タイミングを制御する。すなわち、信号検出部４２は、図５（ａ）に示すように受光部４１での光信号レベルが所定値以上となった時刻ｔ１１から所定期間Ｔ１だけ経過した後に状態判定信号をスイッチ回路に出力して、時刻ｔ１２にスイッチ回路を閉状態（ＯＮ）から開状態（ＯＦＦ）にし（図５（ｂ））、図５（ａ）に示すように受光部４１での光信号レベルが所定値以下となった時刻ｔ１３から所定期間Ｔ２だけ経過した後に状態判定信号をスイッチ回路に出力して、時刻ｔ１４にスイッチ回路を開状態（ＯＦＦ）から閉状態（ＯＮ）にする（図５（ｂ））。
【００３４】
このようにスイッチ回路の切換タイミングを制御することにより、一時的に光信号が所定値以上となったり所定値以下となったりしても、信号検出部４２にてスイッチ回路を開閉動作させること無い。したがって、この光通信システムによれば、光伝送路の寸断などが発生したと誤判定することなく、安定した制御をすることができる。
【００３５】
［第１Ｊ／Ｂ１１及び第２Ｊ／Ｂ１２の第２構成例］
つぎに、第１Ｊ／Ｂ１１及び第２Ｊ／Ｂ１２の第２構成例について図６を参照して説明する。なお、上述の説明と同様の部分については同一符号を付することにより、その詳細な説明を省略する。
【００３６】
第２構成例に係るＪ／Ｂは、図６に示すように、各光電変換部の電気信号出力端に電気信号の同期をとるためのＰＬＬ（Ｐｈａｓｅ　Ｌｏｃｋｅｄ　Ｌｏｏｐ）回路５１〜５４が設けられている。このＰＬＬ回路５１〜５４は、接続された電子機器に内蔵されている通信ＩＣにて行う同期処理と同様の処理を行う。
【００３７】
各ＰＬＬ回路５１〜５４は、電気信号が入力されると、そのクロック成分を参照して、光通信システムにて規定された所定のクロック成分に同期させて、隣接する光電変換部に出力する。このようなＪ／Ｂでは、例えば光伝送路１３や光伝送路１５の寸断、電子機器の故障などが発生したとき、光通信システム全体で再同期をとるように図示しない制御部により各ＰＬＬ回路５１〜５４を制御する。
【００３８】
このような光通信システムによれば、光伝送路の寸断などが発生して、スイッチ回路の開閉動作を制御してシステム構成を再構成する場合であっても、各ＰＬＬ回路５１〜５４にて電気信号の再同期を行うことで、光信号の再同期を行うことができる。
【００３９】
［インラインコネクタ１４の構成］
つぎに、光通信システムにおけるインラインコネクタ１４の構成について説明する。
【００４０】
このインラインコネクタ１４は、図７に示すように、第１Ｊ／Ｂ１１と光伝送路１３を介して接続された第５光電変換部６１、第２Ｊ／Ｂ１２と光伝送路１３を介して接続された第６光電変換部６２、第５光電変換部６１と第６光電変換部６２との間に設けられたスイッチ回路６３とを備える。
【００４１】
第５光電変換部６１は、第１Ｊ／Ｂ１１からの光信号レベルが所定値以下である場合にＨレベルの状態判定信号をスイッチ回路６３に出力し、第６光電変換部６２は、第２Ｊ／Ｂ１２からの光信号レベルが所定値以下である場合にＨレベルの状態判定信号をスイッチ回路６３に出力する。スイッチ回路６３は、第５光電変換部６１又は第６光電変換部６２からＨレベルの状態判定信号が入力された場合に閉状態となる。
【００４２】
このようなインラインコネクタ１４では、閉状態となることにより、電子機器Ｆ、電子機器Ｅからなる光通信システム、又は電子機器Ｃ、電子機器Ｂ、電子機器Ａ、電子機器Ｄからなる光通信システムを構成することができる。
【００４３】
これにより、光通信システムでは、上述した効果と同様の効果を発揮させることができる。
【００４４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【００４５】
すなわち、上述した一例では、第１Ｊ／Ｂ１１，第２Ｊ／Ｂ１２，インラインコネクタ１４に電気信号をバイパスするスイッチ回路を設けた一例について説明したが、第１Ｊ／Ｂ１１、第２Ｊ／Ｂ１２、インラインコネクタ１４の何れかにのみスイッチ回路を設けた場合であっても、上述と同様の効果を発揮させることができる。
【００４６】
また、上述した図６の一例では、各光電変換部の電気信号出力端にＰＬＬ回路を設けた場合について説明したが、これに限らず、各スイッチ回路の間に単一のＰＬＬ回路を設けた場合であっても上述と同じ効果を発揮することができる。
【００４７】
［第２実施形態］
つぎに、第２実施形態に係る光通信システムについて説明する。なお、上述した第１実施形態と同様の部分については、その詳細な説明を省略する。
【００４８】
上述したＪ／Ｂやインラインコネクタでは光電変換部により生成した光信号レベルに基づく状態判定信号（Ｓｔａｔｕｓ）により、スイッチ回路を開閉動作させてリング状のネットワークを構築する場合について説明したが、第２実施形態に係る光通信システムは、図８に示すように、光電変換部７１の電気信号出力線に信号監視部７２を接続し、当該信号監視部７２の判定に基づいてスイッチ部７３を開閉動作させることを特徴とする。
【００４９】
この光通信システムにおいて、光電変換部７１では、電子機器から光信号が入力されると、図９（ａ）に示すように所定の光レベルを検出したことに応じて、図９（ｂ）に示すような電気信号を生成して、当該電気信号を信号監視部７２に送る。このとき、光電変換部７１では、所定の光レベル以上となったときに、図９（ｃ）に示すように、上述した実施形態と同様に状態判定信号をスイッチ部７３に送る。
【００５０】
これに対し、信号監視部７２では、図９（ｂ）に示す電気信号を受信すると、図９（ｄ）に示すように、電気信号が立ち上がった時点においてスイッチ部７３を開動作させる制御信号をスイッチ部７３に送る。
【００５１】
信号監視部７２では、その処理を図１０のフローチャートに示すように、先ず、ステップＳ１において、受信した電気信号に、予め設定した規定時間以上のデータ変化があるか否かを判定する。信号監視部７２では、例えば電気信号が入力された場合であっても規定時間以上のデータ変化がない場合には正常な電気信号でないと判定して処理を終了する。
【００５２】
一方、信号監視部７２では、規定時間以上のデータ変化が有ったと判定した場合には正常な光信号が光電変換部７１に供給され、且つ光電変換部７１にて正常な電気信号が生成されていると判定してステップＳ２に処理を進めて、スイッチ部７３を開（ｏｆｆ）状態にする。これにより、信号監視部７２では、光電変換部７１に接続された電子機器を含むリングネットワークを構築する。
【００５３】
次のステップＳ３においては、光電変換部７１により、Ｈレベルの状態判定信号を生成してスイッチ部７３を閉状態に制御しているか否かを判定することで、正常な光信号が光電変換部７１に入力されていないか否かを判定する。例えば伝送路に寸断等が発生して、光電変換部７１に正常な光信号が入力されておらず状態判定信号がＨレベルである場合には、ステップＳ４にてスイッチ部７３を閉（ｏｎ）状態にして、光電変換部７１に接続された電子機器をバイパスしたリングネットワークを構築する。
【００５４】
このような信号監視部７２及びスイッチ部７３を備えたＪ／Ｂやインラインコネクタを備える光通信システムによれば、上述の第１実施形態と同様に、電気信号により伝送路の寸断判定をすることができる。
【００５５】
また、この光通信システムによれば、ノイズ等により一時的に正常でない光信号が光電変換部７１に供給されて、スイッチ部７３が閉状態となってしまった場合であっても信号監視部７２により電気信号を監視して、規定時間以上のデータ変化がなくなった場合には、リングネットワークを再構築することができる。
【００５６】
更に、この光通信システムによれば、例えば図１１に示すように、光電変換部７１にて所定の光レベルを検出して電気信号を出力していても、状態判定信号を出力するまでの遅延時間により即座にスイッチ部７３を制御できないという事態を回避することができ、遅延時間無くスイッチ部７３を動作させることができ、短時間でリングネットワークを確立することができる。特に、システムの起動時に複数の電子機器を使用してリングネットワークを確立するときに、複数の光電変換部の遅延時間を無くすことができ、状態判定信号によりリングネットワークを確立するのに対してリングネットワークの確立完了時間を著しく短時間とすることができる。
【００５７】
更にまた、この光通信システムによれば、光信号の入力がなされていない場合であってもスイッチ部７３を開動作させてしまうなどの光電変換部７１の不具合により、スイッチ部７３を誤動作させることを防止することができる。
【００５８】
更にまた、この光通信システムによれば、電気信号を監視することにより、例えば図１２に示すように、例えば光電変換部が高温等によって、電気信号がＨレベルのままのような規定外の異常なものがスイッチ部７３に入力されている場合に、一定以上の光信号の光レベルとなっていることに応じて状態判定信号により、スイッチ部７３を開状態にするという誤動作を防止することができる。
【００５９】
更にまた、この光通信システムによれば、各電子機器の最初の起動時には信号監視部７２により電気信号を監視して、電子機器をリングネットワークに含めるようにし、その後は光信号のレベルに基づいた状態判定信号を使用してリングネットワークの寸断等に対応してスイッチ部７３を制御することにより、電気信号と状態判定信号とを併用したスイッチ部７３の開閉制御をすることができ、システムの信頼性を向上させることができる。
【００６０】
【発明の効果】
本発明に係る光通信システムによれば、複数の信号中継装置に、各光−電気変換手段により、光伝送路からの光信号状態に基づいて電子機器又は他の信号中継装置との間の光伝送路の寸断を判定して、スイッチ回路の開閉制御をし、寸断した光伝送路への光信号出力を停止させることで、寸断した光伝送路に接続された電子機器には光信号を送出しないようにして、他の電子機器にてリング状のシステムを再構成することができ、簡単な処理で通信を維持することができる。
【００６１】
また、本発明に係る他の光通信システムによれば、信号中継装置に信号監視手段を備え、当該信号監視手段により、光−電気変換手段からスイッチ回路に出力される電気信号の変化を検出して、規定時間以上の変化があった場合にスイッチ回路を開状態にして、光−電気変換手段に対応した電子機器を他の電子機器と通信可能とするので、電気信号により光信号の異常を検出して、簡単な処理で通信を維持することができる。
【００６２】
更に、本発明に係る信号中継装置によれば、各光−電気変換手段により、光伝送路からの光信号状態に基づいてスイッチ回路の開閉制御をし、対応した電子機器への光信号出力を停止させ、寸断した光伝送路に接続された電子機器には光信号を送出しないようにして、他の電子機器にてリング状のシステムを再構成させることができ、簡単な処理で通信を維持することができる。
【００６３】
更にまた、本発明に係る他の信号中継装置によれば、スイッチ回路の開閉動作を制御する信号監視手段を備え、当該信号監視手段により、光−電気変換手段からスイッチ回路に出力される電気信号の変化を検出して、規定時間以上の変化があった場合にスイッチ回路を開状態にして、光−電気変換手段に対応した電子機器を他の電子機器と通信可能とするので、電気信号により光信号の異常を検出して、簡単な処理で通信を維持することができる。
【００６４】
更にまた、本発明に係る光通信用コネクタによれば、第１光−電気変換手段により光伝送路からの光信号状態に基づいてスイッチ回路の開閉制御をし、出力した電気信号の第２光−電気変換手段への入力を停止すると共に、第２光−電気変換手段により光伝送路からの光信号状態に基づいてスイッチ回路の開閉制御をし、出力した電気信号の第１光−電気変換手段への入力を停止し、寸断した光伝送路に接続された電子機器には光信号を送出しないようにして、他の電子機器にてリング状のシステムを再構成することができ、簡単な処理で通信を維持することができる。
【００６５】
更にまた、本発明に係る他の光通信用コネクタによれば、スイッチ回路の開閉動作を制御する信号監視手段を備え、当該信号監視手段により、第１又は第２光−電気変換手段からスイッチ回路に出力される電気信号の変化を検出して、規定時間以上の変化があった場合にスイッチ回路を開状態にするので、電気信号により光信号の異常を検出して、簡単な処理で通信を維持することができる。
【図面の簡単な説明】
【図１】本発明を適用した第１実施形態に係る光通信システムの構成を示すブロック図である。
【図２】本発明を適用した第１Ｊ／Ｂ及び第２Ｊ／Ｂの構成を示すブロック図である。
【図３】光電変換部の構成を示すブロック図である。
【図４】光電変換部の動作を説明するためのタイムチャートであり、（ａ）は光信号レベルの変化、（ｂ）は出力する電気信号の変化、（ｃ）は状態判定信号の変化を示す。
【図５】光電変換部によりスイッチ回路の状態を切り換える処理について説明するための図であり、（ａ）は状態判定信号の変化、（ｂ）はスイッチ回路の状態の変化を示す。
【図６】本発明を適用したＪ／Ｂの他の構成を示すブロック図である。
【図７】本発明を適用したインラインコネクタの構成を示すブロック図である。
【図８】本発明を適用した第２実施形態に係る光通信システムにおいて、Ｊ／Ｂやインラインコネクタ等に実装される回路構成を示すブロック図である。
【図９】本発明を適用した第２実施形態に係る光通信システムにおける動作を説明するためのタイミングチャートである。
【図１０】本発明を適用した第２実施形態に係る光通信システムにおいて、主として信号監視部の動作を説明するためのフローチャートである。
【図１１】本発明を適用した第２実施形態に係る光通信システムに対する比較例について説明するためのタイムチャートである。
【図１２】本発明を適用した第２実施形態に係る光通信システムに対する他の比較例について説明するためのタイムチャートである。
【図１３】従来の光通信システムの構成を示すブロック図である。
【符号の説明】
１　車両
１１　第１Ｊ／Ｂ
１２　第２Ｊ／Ｂ
１３，１５　光伝送路
１４　インラインコネクタ
２１　第１光電変換部
２２　第２光電変換部
２３　第３光電変換部
２４　第４光電変換部
３１　第１スイッチ回路
３２　第２スイッチ回路
３３　第３スイッチ回路
３４　第４スイッチ回路
４１　受光部
４２　信号検出部
４３　波形増幅／整形部
５１，５２，５３，５４　ＰＬＬ回路
６１　第５光電変換部
６２　第６光電変換部
６３　スイッチ回路
７１　光電変換部
７２　信号監視部
７３　スイッチ部
【図１】
2004048658.tif 000003
【図２】
2004048658.tif 000004
【図３】
2004048658.tif 000005
【図４】
2004048658.tif 000006
【図５】
2004048658.tif 000007
【図６】
2004048658.tif 000008
【図７】
2004048658.tif 000009
【図８】
2004048658.tif 000010
【図９】
2004048658.tif 000011
【図１０】
2004048658.tif 000012
【図１１】
2004048658.tif 000013
【図１２】
2004048658.tif 000014
【図１３】
2004048658.tif 000015